(57)【要約】  【課題】  この発明の課題は、一辺を綴じられた書籍を開いたとき、向かい合っている２ページの画像を一回の読取処理で読み取り可能な両面画像読取装置において、筐体をコンパクトにし、さらに画質を向上させることができる両面画像読取装置を提供する。  【解決手段】  筐体を縦長の断面とする筒形で形成し、筐体の前面に読取り原稿と接触する第１透明板と、筐体の後面に読取り原稿と接触する第２透明板と、第１透明板と第２透明板の間に配置されて第１透明板と第２透明板とに沿って筐体の筒軸方向に走行する読取ユニットとを備え、書籍等の読取り原稿を僅か開いた状態で筐体に跨らせることにより、第１透明板と第２透明板とに接触する頁を読み取る両面画像読取装置であって、前記読取ユニットは筐体に跨らせた書籍等の読取り原稿の綴じ部に対向する部位を屈曲させて前記第１透明板と第２透明板とに接触する頁を照射する単一の光源を備える。【選択図】            図１
2007288381.tif 000002
【特許請求の範囲】
【請求項１】
筐体を縦長の断面とする筒形で形成し、前記筐体の前面に読取り原稿と接触する第１透明板と、前記筐体の後面に読取り原稿と接触する第２透明板と、前記第１透明板と第２透明板の間に配置されて前記第１透明板と第２透明板とに沿って前記筐体の筒軸方向に走行する読取ユニットとを備え、書籍等の読取り原稿を僅か開いた状態で前記筐体に跨らせることにより、前記第１透明板と第２透明板とに接触する頁を読み取る両面画像読取装置であって、
前記読取ユニットは前記筐体に跨らせた書籍等の読取り原稿の綴じ部に対向する部位を屈曲させて前記第１透明板と第２透明板とに接触する頁を照射する単一の光源を備える、
ことを特徴とした両面画像読取装置。
【請求項２】
前記請求項１において、
前記筐体の上面に前記光源を屈曲させた屈曲部の表面に沿うとともに前記筐体に跨らせた書籍等の読取り原稿と接触する第３透明板を備えるとともに、
前記読取ユニットは前記筐体に跨らせた書籍等の読取り原稿の綴じ部を読取る読取手段を更に備える、
ことを特徴とした両面画像読取装置。
【発明の詳細な説明】
【技術分野】
【０００１】
この発明は、透明板で形成された表面原稿台及び裏面原稿台とこの原稿台に沿って走行する読取ユニットとを備えたフラットベッド型と呼ばれる両面画像読取装置に関し、一辺を綴じられた書籍を開いたとき、向かい合っている２ページの画像を一回の読取処理で読み取り可能な両面画像読取装置に関するものである。
【背景技術】
【０００２】
従来の画像読取装置は、筐体を縦長の断面とする筒形で形成し、前記筐体の前面に読取り原稿と接触する透明板を備え、この透明板の背面に沿って前記筐体の筒軸方向（副走査方向）に走行する読取ユニットを備えた画像読取装置であって、前記読取ユニットは縮小光学系を構成する結像レンズ及びイメージセンサを主走査方向の読取り幅の中央部より下方に偏倚して備えるものである。この従来の画像読取装置は、書籍等の読取り原稿を僅か開いた状態で筐体に跨らせることにより、その透明板と接触する頁を読み取ることができるので、設置面積を小さくし、かつ設置場所を自由に選択することができ、かつ一辺を綴じられた書籍の頁を読むのに好適な画像読取装置である。
（例えば、特許文献１を参照）
【０００３】
前記の従来の画像読取装置によれば、書籍などに代表される一辺を綴じた多数のシートからなる原稿を、その綴じ辺の直近まで正確にかつ用紙の浮き上がりによる汚れを生ずることなく読み取ることが可能で、かつ読取時の綴じ辺の開き角が小さく、従って書籍等を傷めることなく必要な頁を読み取ることができる。
【０００４】
しかし、一辺を綴じられた書籍の頁を読むのに好適ではあるが、１ページごとの読取処理であり、書籍の読取処理に時間がかかる。そこで、一辺を綴じられた書籍を開いたとき、向かい合っている２ページの画像を一回の読取処理で読み取り可能な両面画像読取装置が望まれる。
【０００５】
この両面画像読取装置において、縮小光学系を備えた読取ユニットに備える光源は、まっすぐな円筒状ランプ管を２本用いるものである。この円筒状ランプ管の光源において、両端部分の照度は、中間部の照度より低いので、筐体に跨らせた書籍等の読取り原稿の綴じ部は光量不足となり、画質が低下する問題がある。
（例えば、特許文献２を参照）
【０００６】
これを解消するために、まっすぐな円筒状ランプ管の両端部を筐体の筒軸方向（副走査方向）に曲げたコ字型の円筒状ランプ管を２本用いることが考えられる。
（例えば、特許文献３、特許文献４を参照）
【０００７】
あるいは、図７（ａ）に示すように、まっすぐな円筒状ランプ管において、筐体に跨らせた書籍等の読取り原稿の綴じ部に対向する部位のみを筐体の筒軸方向（副走査方向）に曲げたＬ字型の円筒状ランプ管からなる光源ランプ５１を２本用いることが考えられる。
【０００８】
なお、図７（ｂ）において、光源ランプ５１を２本用いる両面画像読取装置は、筐体の前面に読取り原稿と接触する第１透明板２と、筐体の後面に読取り原稿と接触する第２透明板３と、前記第１透明板２と第２透明板３の間に配置されて前記第１透明板２と第２透明板３とに沿って筐体の筒軸方向（副走査方向）に走行する図示しない読取ユニットとを備え、書籍等の読取り原稿を僅か開いた状態で前記筐体の上部５に跨らせることにより、前記第１透明板２と第２透明板３とに接触する頁を読み取るものである。
【０００９】
前記の読取ユニットの読取光学系は、第１透明板２と第２透明板３とに接触する頁を照射する光源ランプ５１を２個備えている。光源ランプ５１で照明された読取線の読取光を第１折返しミラー１２と、図示しない他の折返しミラーとで反射され、図示しない結像レンズを通してイメージセンサで読み取るものである。
【００１０】
【特許文献１】特願２００４−３２９１３１号公報
【特許文献１】特願２００５−００６９６４号公報
【特許文献２】ＵＳＰ５，７６８，６６３号公報
【特許文献３】ＵＳＰ５，９５０，０５３号公報
【発明の開示】
【発明が解決しようとする課題】
【００１１】
前記のごとく、従来の技術では次のような問題点がある。
【００１２】
従来の技術では、両端部を曲げたコ字型の円筒状ランプ管を用いる。あるいは、読取り原稿の綴じ部に対向する部位のみを曲げたＬ字型の円筒状ランプ管を用いることで、筐体に跨らせた書籍等の読取り原稿の綴じ部の光量を容易に確保することができる。
【００１３】
しかし、図７（ａ）及び図７（ｂ）に示すように、少なくとも読取り原稿の綴じ部に対向する部位を筐体の筒軸方向（副走査方向）に曲げたコ字型あるいはＬ字型の円筒状ランプ管を２本用いる従来の技術では、各円筒状ランプ管の端部に設ける電源の接続部は、ゴムチューブなどを被覆しており、円筒状ランプ管自身の直径よりも大きな直径を有する。このため、筐体に跨らせた書籍等の読取り原稿の綴じ部に対向する部位において、筐体の上部５の奥行き寸法Ｈが大きくなることによって、読取時の綴じ辺の開き角が大きくなり、従って書籍等を傷めることがある。
【００１４】
さらに、コ字型あるいはＬ字型の円筒状ランプ管が筐体の筒軸方向（副走査方向）に曲げるため、読取ユニット自身の筐体の筒軸方向（副走査方向）の寸法が大きくなるので、両面画像読取装置の筐体を大きくする原因となる。
【００１５】
この発明の課題は、一辺を綴じられた書籍を開いたとき、向かい合っている２ページの画像を一回の読取処理で読み取り可能な両面画像読取装置において、筐体に跨らせた書籍等の読取り原稿の綴じ部の光量不足を解消して画質を向上させるとともに、読取時の綴じ辺の開き角を小さくし、書籍等を傷めることなく、向かい合っている２ページの画像を一回の読取処理で読み取ることができるように、筐体をコンパクトにし、さらに画質を向上させることができる両面画像読取装置を提供することにある。
【課題を解決するための手段】
【００１６】
前記の問題点を解決するために、この発明では次に示す手段を取った。
【００１７】
本発明の両面画像読取装置は、筐体を縦長の断面とする筒形で形成し、前記筐体の前面に読取り原稿と接触する第１透明板と、前記筐体の後面に読取り原稿と接触する第２透明板と、前記第１透明板と第２透明板の間に配置されて前記第１透明板と第２透明板とに沿って前記筐体の筒軸方向に走行する読取ユニットとを備え、書籍等の読取り原稿を僅か開いた状態で前記筐体に跨らせることにより、前記第１透明板と第２透明板とに接触する頁を読み取る両面画像読取装置であって、
前記読取ユニットは前記筐体に跨らせた書籍等の読取り原稿の綴じ部に対向する部位を屈曲させて前記第１透明板と第２透明板とに接触する頁を照射する単一の光源を備える、ことを特徴とする。
【００１８】
また、本発明の両面画像読取装置は、前記筐体の上面に前記光源を屈曲させた屈曲部の表面に沿うとともに前記筐体に跨らせた書籍等の読取り原稿と接触する第３透明板を備えるとともに、前記読取ユニットは前記筐体に跨らせた書籍等の読取り原稿の綴じ部を読取る読取手段を更に備えることを特徴とする。
【発明の効果】
【００１９】
この発明により、以下に示すような効果が期待できる。
【００２０】
本発明の両面画像読取装置によれば、筐体に跨らせた書籍等の読取り原稿の綴じ部の光量不足を解消して画質を向上させるとともに、読取時の綴じ辺の開き角を小さくし、書籍等を傷めることなく、向かい合っている２ページの画像を読み取ることができる両面画像読取装置を提供することができる。
【００２１】
さらに、本発明の両面画像読取装置によれば、第３透明板は書籍等の読取り原稿の綴じ部あるいは綴じ部近傍に接触するので、書籍等の読取り原稿の綴じ部の光量分布が均一化する。また、原稿の綴じ部を読取る読取手段を更に設けるので、一辺を綴じられた書籍を開いたとき、原稿の綴じ部を含めて向かい合っている２ページの画像を一回の読取処理で読み取り可能になる。また、折り畳んだ一枚の原稿の全画像を一回の読取処理で読み取り可能になる。
【発明を実施するための最良の形態】
【００２２】
図１ないし図６に基づいて、この発明を実施するための最良の形態を説明する。
【００２３】
図３は、この発明の両面画像読取装置の斜視図である。図３において、両面画像読取装置１の筐体は縦長の断面とする筒形で形成し、筐体の前面には読取り原稿と接触する第１透明板２を備え、さらに、筐体の後面には読取り原稿と接触する第２透明板３を備えている。なお、図示していないがこの両面画像読取装置１は、読取ユニットを備えており、当該読取ユニットは前記の第１透明板２と第２透明板３とに沿って前記筐体の筒軸方向（副走査方向）に走行するように構成する。そして、書籍等の読取り原稿を僅か開いた状態で筐体の上部５に跨らせることにより、第１透明板２と第２透明板３とに接触する頁を読み取るものである。すなわち、一辺を綴じられた書籍を開いたとき、向かい合っている２ページの画像を一回の読取処理で読み取り可能な両面画像読取装置である。
【００２４】
図１及び図２は、この発明の両面画像読取装置の説明図である。図１は前述の図３の断面Ａ−Ａの要部断面図を示し、図２は前述の図３の断面Ｂ−Ｂの要部断面図をそれぞれ示している。
【００２５】
図１及び図２において、前記読取ユニット１０は、円筒状ランプ管からなる光源ランプ１１の中間部を屈曲させて前記筐体の上部５に跨らせた書籍等の読取り原稿の綴じ部に対向するようにする。すなわち、前記読取ユニット１０は、前記第１透明板２と第２透明板３とに接触する頁を照射するＵ字型あるいはＶ字型の円筒状ランプ管からなる光源ランプ１１を１本備えている。これにより、筐体に跨らせた書籍等の読取り原稿の綴じ部の光量不足を解消している。また、光源ランプ１１の端部に設ける電源の接続部は、筐体の下部側に位置させることになり、筐体の上部５の奥行き寸法を小さくしている。
【００２６】
図２によって、この発明の縮小光学系を説明する。図２において、前記の読取ユニット１０の読取光学系は、前記第１透明板２と第２透明板３とに接触する頁を読み取る場合は、光源ランプ１１で照明された読取線の読取光を第１折返しミラー１２と、第２折返しミラー１３と、第３折返しミラー１４とで反射され、結像レンズ１５を通してイメージセンサ１６で読み取る。このような縮小光学系では、結像レンズ１５を中心として読取光が扇状に拡がっている。
【００２７】
図４及び図５は、この発明の両面画像読取装置の説明図である。図４において、前述の図１ないし図３で示した前記の第１透明板２と第２透明板３に加えて、筐体の上面に前記光源ランプ１１を屈曲させた屈曲部の表面に沿うとともに前記筐体に跨らせた書籍等の読取り原稿と接触する第３透明板４を備える。さらに、前記読取ユニット１０は、広角レンズ２２とイメージセンサ２１を構成する綴じ部読取ユニット２０を備え、綴じ部読取ユニット２０は前記筐体に跨らせた書籍等の読取り原稿の綴じ部を読取るものである。
【００２８】
図５において、前記読取ユニット１０は、縮小光学系を構成し、結像レンズ１５を中心として読取光が扇状に拡がっている。このため、前記の綴じ部読取ユニット２０は、光源ランプ１１で照明された読取線の読取光を反射させる第１折返しミラー１２の近傍に設置することができないので、前記光源ランプ１１と第３折返しミラー１４との間に設置する。これにより、一辺を綴じられた書籍を開いたとき、書籍等の綴じ部近傍が筐体の上部５から浮くことを防止するとともに、読み取ろうとする紙面が第３透明板４から浮き上がることがなくなり、原稿の綴じ部を含めて向かい合っている２ページの画像を一回の読取処理で読み取り可能になる。また、折り畳んだ一枚の原稿の全画像を一回の読取処理で読み取り可能になる。
【００２９】
なお、前記の綴じ部読取ユニット２０の読み取り方式において、図６に示すように、読取り面は、前記の第３透明板４が前記光源ランプ１１を屈曲させた屈曲部の表面に沿うように屈曲している。このため、倍率変動の問題があり、この倍率変動を補正する補正手段が必要である。例えば、倍率変動を補正する方向に屈曲収差を付けたレンズを採用する。あるいは、読取り後の画像データを倍率補正するドライバーソフト等で補正することは可能である。
【産業上の利用可能性】
【００３０】
以上のように、本発明に係る両面画像読取装置は、産業上の多くの分野、特に画像処理産業等の分野で広く実施することができ、書籍や折り畳んだ一枚の原稿の全画像を一回の読取処理で読取ることを可能にする画像読取装置に極めて有用である。
【図面の簡単な説明】
【００３１】
【図１】この発明の両面画像読取装置の説明図である。
【図２】この発明の両面画像読取装置の説明図である。
【図３】この発明の両面画像読取装置の斜視図である。
【図４】この発明の両面画像読取装置の説明図である。
【図５】この発明の両面画像読取装置の説明図である。
【図６】この発明の両面画像読取装置の説明図である。
【図７】従来の両面画像読取装置の説明図である。
【符号の説明】
【００３２】
１：両面画像読取装置
２：第１透明板
３：第２透明板
４：第３透明板
５：上部
１０：読取ユニット
１１：光源ランプ
１２：第１折返しミラー
１３：第２折返しミラー
１４：第３折返しミラー
１５：結像レンズ
１６，２１：イメージセンサ
２０：綴じ部読取ユニット
２２：広角レンズ
【図１】
2007288381.tif 000003
【図２】
2007288381.tif 000004
【図３】
2007288381.tif 000005
【図４】
2007288381.tif 000006
【図５】
2007288381.tif 000007
【図６】
2007288381.tif 000008
【図７】
2007288381.tif 000009